(57)【要約】【課題】  振動によるレンズ鏡筒とカメラ本体のゆるみ、レンズ鏡筒に収納されている交換可能な固定絞り板のゆるみを防止できるレンズ鏡筒を提供する。【解決手段】  カメラ本体に着脱可能となるように構成されたレンズ鏡筒１であって、螺合して一体となる第１レンズ鏡筒１０と第２レンズ鏡筒２０で構成される。第１レンズ鏡筒１０は、本体部と、本体部の外周に螺合して移動可能な状態で周設されたナット部材１３及び固定リング１４で構成される。ナット部材１３と固定リング１４のダブルナット効果でカメラ本体２とレンズ鏡筒１のゆるみを防ぐ。ナット部材１３は、外周形状がトルクレンチを当接して嵌合可能な六角筒または八角筒である。また、交換可能な固定絞り板３は第２レンズ鏡筒２０に螺合して固定される。これにより、レンズ鏡筒１及び固定絞り板３のいずれも振動によるゆるみがなくなる。【選択図】図１
2020086101.tif 000002
【特許請求の範囲】
【請求項１】
カメラ本体に着脱可能となるように構成されたレンズ鏡筒であって、
前記レンズ鏡筒は、被写体の像を結合させる複数のレンズが光軸を一致させた状態で配置され、螺合して一体となる第１レンズ鏡筒と第２レンズ鏡筒で構成され、
前記第１レンズ鏡筒は、本体部と、本体部の外周に螺合して移動可能な状態で周設されたナット部材及び固定リングで構成され、
前記本体部は、基端側外周面にナット部材及び固定リングを回転移動するため雄ネジ部と、先端側内周面に前記第２レンズ鏡筒を螺合可能な雌ネジ部を備え、
前記ナット部材は、移動して前記カメラ本体と当接することによりカメラ本体と前記第１レンズ鏡筒との相対回転を抑制するように構成され、
前記固定リングは、移動してナット部材と当接することにより、前記ナット部材の回転を抑制するように構成され、
前記第２レンズ鏡筒は、基端側外周面に固定絞り板を螺合可能な雄ネジ部と、中央に前記第１レンズ鏡筒に螺合可能な雄ネジ部を備え、
前記固定絞り板は、前記第２レンズ鏡筒から取り外すことにより交換可能に構成された、
ことを特徴とするレンズ鏡筒。
【請求項２】
前記ナット部材は、外周形状がトルクレンチを当接して嵌合可能な六角筒または八角筒であることを特徴とする請求項１に記載したレンズ鏡筒。
【請求項３】
前記固定絞り板は、内周面にネジ加工、外周面に滑り防止加工が施されていることを特徴とする請求項１または２のいずれかに記載したレンズ鏡筒。
【請求項４】
前記固定絞り板は、絞り開口の異なる複数の取り替え用固定絞り板を備えたことを特徴とする請求項１〜３のいずれかに記載したレンズ鏡筒。
【発明の詳細な説明】
【技術分野】
【０００１】
本願発明は、カメラ本体に着脱可能なレンズ鏡筒、特に、固定絞り板を着脱可能に内設して交換可能としたレンズ鏡筒に関する。
【背景技術】
【０００２】
固定絞り板は、撮影場所の明るさの違いによりカメラの撮影条件を一定の範囲内とするため、レンズ鏡筒にレンズと併用して用いられる。また、フォーカス調整時の収差変動を抑えるため、２以上のレンズ群で構成されるレンズ鏡筒では、固定絞り板をレンズ群の間に配置することが行われている（特許文献１）。
一方、工場内での検査ラインや製造ラインロボットの位置検知、セキュリティー対策等の用途のために建物の屋内、屋外にカメラを設置することが行われている。このようなカメラは、定期点検、更新のためにレンズ鏡筒を着脱できるように構成されている。
また、このように建物の屋内、屋外に長年固定されて使用されるカメラに装着されるレンズ鏡筒は振動などにより、レンズ鏡筒とカメラ本体のゆるみ、レンズ鏡筒に収納されている固定絞り板のゆるみが生じてカメラ機能の低下をもたらす。
このため、振動によるレンズ鏡筒自体のゆるみを防ぐため、レンズ鏡筒にナット部材を設けることが行われている（特許文献２）。しかし、レンズ鏡筒に収納されている固定絞り板については、振動防止を検討されていない。
【０００３】
しかしながら、レンズ鏡筒に着脱可能に内設して交換可能とされる固定絞り板についても、屋外や屋内に長年固定されて様々な振動を受けるカメラの場合には、カメラ本体はもとより、カメラ本体に装着されるレンズ鏡筒にも、カメラ鏡筒内部の部品同士が擦れ、粉塵が発生して画像ノイズの原因となる。
【先行技術文献】
【特許文献】
【０００４】
【特許文献１】特開平９−１２７３９５号公報
【特許文献２】特開２０１５−２３２６８７５号公報
【発明の概要】
【発明が解決しようとする課題】
【０００５】
本願発明は、レンズ鏡筒に着脱可能に内設して交換可能とされる固定絞り板のゆるみを防止できるレンズ鏡筒を提供することにある。
【課題を解決するための手段】
【０００６】
本願発明の課題は、以下の態様（１）乃至（４）により解決できる。具体的には、
【０００７】
（態様１）  カメラ本体に着脱可能となるように構成されたレンズ鏡筒であって、前記レンズ鏡筒は、被写体の像を結合させる複数のレンズが光軸を一致させた状態で配置され、螺合して一体となる第１レンズ鏡筒と第２レンズ鏡筒で構成され、前記第１レンズ鏡筒は、本体部と、本体部の外周に螺合して移動可能な状態で周設されたナット部材及び固定リングで構成され、前記本体部は、基端側外周面にナット部材及び固定リングを回転移動するため雄ネジ部と、先端側内周面に前記第２レンズ鏡筒を螺合可能な雌ネジ部を備え、前記ナット部材は、移動して前記カメラ本体と当接することによりカメラ本体と前記第１レンズ鏡筒との相対回転を抑制するように構成され、前記固定リングは、移動してナット部材と当接することにより、前記ナット部材の回転を抑制するように構成され、前記第２レンズ鏡筒は、基端側外周面に固定絞り板を螺合可能な雄ネジ部と、中央に前記第１レンズ鏡筒に螺合可能な雄ネジ部を備え、前記固定絞り板は、前記第２レンズ鏡筒から取り外すことにより交換可能に構成された、ことを特徴とするレンズ鏡筒である。
レンズ鏡筒を螺合して一体となる第１レンズ鏡筒と第２レンズ鏡筒の構成にすることにより、レンズ鏡筒の固定絞り板を撮像条件に合わせて交換することができる。
また、第２レンズ鏡筒の基端側に固定絞り板を螺合可能な外ネジ部を設けることで、固定絞り板を第２レンズ鏡筒の基端側に螺合して装着することができる。これにより、固定絞り板は中心軸精度が向上するとともに、振動によるゆるみを防止することができる。
さらに、第１レンズ鏡筒本体の外周部にカメラ本体と当接することによりカメラ本体とレンズ鏡筒との相対回転を抑制するように構成されたナット部材により、レンズ鏡筒とカメラ本体の接合が強固になる。さらに、固定リングによる締め付けによるダブルナット構成により、接合の度合いはさらにますことになる。
【０００８】
（態様２）  前記ナット部材は、外周形状がトルクレンチを当接して嵌合可能な六角筒または八角筒であることを特徴とする（態様１）に記載したレンズ鏡筒である。
ナット部材の外周形状をトルクレンチが当接して嵌合可能な辺長の異なる六角筒とすることでナットの締め付けトルクを大きくすることができる。これにより、レンズ鏡筒とカメラ本体の接合が強固になる。
【０００９】
（態様３）    前記固定絞り板は、内周面にネジ加工、外周面に滑り防止加工が施されていることを特徴とする（態様１）または（態様２）のいずれかに記載したレンズ鏡筒である。
固定絞り板の内面がネジ加工されていることで、固定絞り板を第２レンズ鏡筒に螺合して装着できる。これにより、固定絞り板は中心軸精度が向上するとともに、振動によるゆるみを防止することができる。
さらに、
【００１０】
（態様４）  前記固定絞り板は、絞り開口の異なる複数の取り替え用固定絞り板を備えたことを特徴とする（態様１）〜（態様３）のいずれかに記載したレンズ鏡筒である。
固定絞り板は、螺合して脱着できて交換可能である。このため、絞り開口の異なる取り替え用固定絞り板を備えることにより、カメラの設置場所の明るさにより適宜対応できるからである。
【発明の効果】
【００１１】
本願発明によれば、トルクレンチが当接可能なナット部材を用いて、ナット部材によるレンズ鏡筒のカメラ本体への接合効果を大きくでき、交換可能な固定絞り板をレンズ鏡筒内で螺合することで、固定絞り板の装着効果が大きくなる。これにより、振動によるレンズ鏡筒とカメラ本体のゆるみ、レンズ鏡筒に着脱可能に内設して交換可能とされる固定絞り板のゆるみを防止できるレンズ鏡筒を提供することにある。
【図面の簡単な説明】
【００１２】
【図１】本願発明のレンズ鏡筒の構成の一例を示す分解斜視図である。
【図２】本願発明のレンズ鏡筒の構成の一例を示す端面図である。
【図３】本願発明のレンズ鏡筒の構成の一例を示す分解端面図である。
【図４】本願発明のレンズ鏡筒のトルクレンチを当接して嵌合可能な六角筒形態のナット部材を示す斜視図である。
【図５】本願発明のレンズ鏡筒のトルクレンチを当接して嵌合可能なナット部材の六角筒及び八角筒の態様を示す端面図である。
【図６】本願発明のレンズ鏡筒をカメラ本体にトルクレンチを用いて締め付け調整する態様を示す写真である。
【発明を実施するための形態】
【００１３】
本願発明を実施するための形態を図１〜図６に基づいて説明する。ただし、図１〜図６は実施形態の一例であり、これに限定されるものではない。
【００１４】
１．レンズ鏡筒
本願発明のレンズ鏡筒１は、カメラ本体２に脱着可能となるように構成したものである。また、振動によるレンズ鏡筒１とカメラ本体２のゆるみ、レンズ鏡筒１に収納されている固定絞り板４のゆるみを防止できるように構成したものである。
本願発明のレンズ鏡筒１は、図１、図２、図３に示すように、被写体の像を結合させる複数のレンズ群Ａ１，Ａ２が光軸方向Ｂを一致させた状態で配置されている。レンズ鏡筒１は、螺合して一体となる第１レンズ鏡筒１０と第２レンズ鏡筒２０で構成されている。第１レンズ鏡筒１０と第２レンズ鏡筒２０を嵌合させて一体のレンズ鏡筒１とする構成によって、固定絞り板４をレンズ鏡筒１内部に組み込むことができる。被写体の撮影条件によって固定絞り板を適宜交換できる。
固定絞り板４を第１レンズ鏡筒に収納されているレンズ群（Ａ１）と第２レンズ鏡筒に収納されているレンズ群（Ａ２）の間に配することにより、フォーカス調整時の収差変動を抑えることができる。
【００１５】
２．第１レンズ鏡筒
本願発明の第１レンズ鏡筒１０は、基端側外周面にナット部材１３及び固定リング１４を回転移動するため雄ネジ部１１が設けられている。また、先端側内周面に第２レンズ鏡筒を螺合可能な雌ネジ部１２を備えている。また、先端側は第２レンズ鏡筒２０の基端側が嵌合できる構造になっている。ここで、基端側とは、光軸方向Ｂに沿った一方の端をいい、先端とは、光軸方向Ｂに沿った他方の端をいう。
さらに、外周部にはカメラ本体２と当接することによりカメラ本体２と第１レンズ鏡筒１０との相対回転を抑制するためのナット部材１３を備え、併せてナット部材１３のゆるみを防ぐための固定リング１４も備えている。
ナット部材１３及び固定リング１４は、第１レンズ鏡筒の外周に沿って回転移動できる。このため、第１レンズ鏡筒１０の外周面に備えられた雄ネジ部１１に対応して、ナット部材１３の内側に雌ネジ部１５、固定リング１４の内側にも雌ネジ部１６が備えている。
【００１６】
３．ナット部材
本願発明の第１レンズ鏡筒１０の外周部に備えられたナット部材１３は、基端側外周面にカメラ本体２と螺合可能な雄ネジ部１７を備えている。また、図４、図５、図６に示すように、外周形状がトルクレンチを当接して嵌合可能な六角筒（図５（ａ））または八角筒（図５（ｂ））である。トルクレンチを当接可能な外周形とすることで、締め付けやすく、トルク管理が可能である。これにより、振動によるレンズ鏡筒１とカメラ本体２のゆるみを適切に管理できる。
【００１７】
４．固定リング
本願発明の固定リング１４は、ナット部材１３の振動によるゆるみを防止するために、第１レンズ鏡筒１０の外周に備えられている。いわゆるダブルナット効果の役割を担う。
【００１８】
５．第２レンズ鏡筒
本願発明の第２レンズ鏡筒２０は、基端側外周面に固定絞り板３を螺合して装着可能な雄ネジ部２１を備え、中央部外周面に第１レンズ鏡筒１０に螺合して装着可能な雄ネジ部２２を備えている。基端側外周部に備えられた雄ネジ部２１により固定絞り板３を螺合して装着することにより、固定絞り板３のゆるみを防止できる。また、固定絞り板３を螺合して装着することで、中心軸精度が向上する。
【００１９】
６．固定絞り板
本願発明の固定絞り板３は、絞り開口を有する円板状である。内周面に雌ネジ部２３を備え、外周面はローレット加工等により滑り止め処理を施されている。滑り止め処理により、固定絞り板３を第２レンズ鏡筒２０にゆるみなく装着できる。
固定絞り板３は、絞り開口が異なる大きさのものを複数備えることが好ましい。撮影条件によって適宜交換できることが好ましいからである。具体的には、撮影場所が屋外等の明るい場所である場合は、絞り開口が小さな固定絞り板３が好ましい。屋内の暗い場所である場合は、絞り開口の大きな固定絞り板３が好ましい。
なお、固定絞り板３の板厚は、０．０５〜０．５ｍｍの範囲が好ましい。板厚が０．０５ｍｍ未満であると遮光性と機械的強度を確保することが難しく、０．５ｍｍを超えると光学的機能が低下するからである。
【００２０】
７．カメラ本体への装着
レンズ鏡筒１のカメラ本体２への装着は、ナット部材１３の基端側外周面に設けられたにカメラ本体２に装着可能な雄ネジ部１７を、カメラ本体２の先端内周面に設けられた雌ネジ部（図示せず）に螺合することで行う。その際には、トルクレンチを使って螺合を確実行う必要がある。振動等により緩むおそれがあるからである。
なお、接着剤を使って螺合を行うこともできる。
【産業上の利用可能性】
【００２１】
本願発明により、振動防止効果の高い固定絞り板の交換可能なカメラ鏡筒を提供できる。
【符号の説明】
【００２２】
１  レンズ鏡筒
２  カメラ本体
３  固定絞り板
１０  第１レンズ鏡筒
１１  雄ネジ部（第１レンズ鏡筒基端側）
１２  雌ネジ部（第１レンズ鏡筒先端側）
１３  ナット部材
１４  固定リング
１５  雌ネジ部（ナット部材内側）
１６  雄ネジ部（第１レンズ鏡筒外周）
１７  雄ネジ部（ナット部材基端部外周）
２０  第１レンズ鏡筒
２１  雄ネジ部（第２レンズ鏡筒基端側）
２２  雄ネジ部（第２レンズ鏡筒中央）
２３  雄ネジ部（固定絞り板内側）
３０  トルクレンチ
Ａ１，Ａ２  レンズ群
Ｂ  光軸
【図１】
2020086101.tif 000003
【図２】
2020086101.tif 000004
【図３】
2020086101.tif 000005
【図４】
2020086101.tif 000006
【図５】
2020086101.tif 000007
【図６】
2020086101.tif 000008